(57)【要約】      （修正有）【課題】地震で目地部が狭くなると天井材と衝突することなく回動および上方へスライド移動させることができる天井用目地装置を提供する。【解決手段】一方の建物２の天井躯体３に吊り下げ固定された先端部が目地部側端部まで位置する天井材８と、せり上げ天井カバー１１と、スライドレール１３にローラー１４を介して水平方向に移動する吊杆１６と、吊杆１６を係止し、上方へのスライド移動を可能に支持する支持金具１８と、せり上げ天井カバー１１の後端部が固定され、一方の建物２の天井躯体３と天井材８との間に位置させるせり上げ天井カバー支持アーム２０と、せり上げ天井カバー支持アーム２０をローラーを介してスライド移動可能に支持する吊りガイド２２と、せり上げ天井カバー支持アーム２０に形成された目地部が狭くなるとせり上げ天井カバー１１を天井材８に接触することなくせり上げるガイド２３部とで天井用目地装置１を構成している。【選択図】図２
2011084981.tif 000002
【特許請求の範囲】
【請求項１】
一方の建物の天井躯体に吊り下げ具によって吊り下げ固定された先端部が目地部側端部まで位置する天井材と、この天井材の先端部と他方の建物の壁面との間を覆うせり上げ天井カバーと、このせり上げ天井カバーの前記他方の建物側の上面にヒンジ部材を介して取付けられたほぼ水平方向に位置するスライドレールと、このスライドレールにローラーを介して水平方向に移動する少なくとも２個以上の吊杆と、この少なくとも２個以上の吊杆を所定位置に係止するとともに、上方へのスライド移動を可能に支持する前記他方の建物の壁面に取付けられた支持金具と、前記せり上げ天井カバーの他方の建物側の上面に後端部が固定され、該せり上げ天井カバーの上面より所定間隔離間された状態で、前記一方の建物の天井躯体と天井材との間に位置させる少なくとも２個以上のせり上げ天井カバー支持アームと、この少なくとも２個以上のせり上げ天井カバー支持アームをローラーを介して前記一方の建物の目地部側部位の天井躯体にスライド移動可能に支持する吊りガイドと、前記少なくとも２個以上のせり上げ天井カバー支持アームに形成された目地部が狭くなると前記せり上げ天井カバーを前記天井材に接触することなくせり上げるガイド部とからなることを特徴とする天井用目地装置。
【請求項２】
せり上げガイド部はせり上げ天井カバー支持アームの下端部に一体形成されていることを特徴とする請求項１記載の天井用目地装置。
【発明の詳細な説明】
【技術分野】
【０００１】
本発明は天井目地部を覆う天井用目地装置に関する。
【背景技術】
【０００２】
従来、この種の天井用目地装置は一方の建物の天井材の目地部側の端部に上面が傾斜面のせり上げ部を形成するとともに、この天井材と対向する他方の建物の壁面に後端部ヒンジ部材を介して回動可能に取付け、かつ先端部を前記天井材の傾斜面のせり上げ部に当接させるように位置させた目地天井カバーを設け、該目地天井カバーの前記他方の建物側の上面に後端部を固定し、先端部を該目地天井カバーの上面より離間させ、前記天井材と天井躯体との間の吊りガイドにスライド移動可能に少なくとも２個以上のせり上げカバー支持アームを支持させ、該少なくとも２個以上のせり上げカバー支持アームに形成された目地部が狭くなると前記吊りガイドにガイドされ、目地天井カバーを天井材の上方へ位置させて、その揺れ動きを吸収するせり上げガイド部材とで構成されている。
【０００３】
このため、地震で目地部が狭くなると、目地天井カバーが天井材の傾斜面であるせり上げ部と当接して上方へガイドされた後、少なくとも２個以上のせり上げカバー支持アームに形成されたせり上げガイド部材が吊りガイドに案内されて天井材の上部に目地天井カバーを位置させる。
【０００４】
よって、目地天井カバーが地震で目地部が狭くなった場合、目地天井カバーと天井材とを衝突させて上方へ移動させるため、天井材や目地天井カバーが損傷しやすくなるという欠点があるとともに、目地天井カバーが目地部が狭くなった場合にヒンジ部を支点として回動し、目地部に位置する目地天井カバーが見苦しい位置状態になるという欠点があった。
【先行技術文献】
【特許文献】
【０００５】
【特許文献１】特許第３４０８１８１号
【発明の概要】
【発明が解決しようとする課題】
【０００６】
本発明は以上のような従来の欠点に鑑み、地震で目地部が狭くなると天井材と衝突することなく回動および上方へスライド移動させることができるとともに、大きな揺れ動きの場合にはせり上げ天井カバーをほぼ水平状態に位置させて、見苦しくなるのを効率よく阻止することができる天井用目地装置を提供することを目的としている。
【０００７】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００８】
上記目的を達成するために、本発明は一方の建物の天井躯体に吊り下げ具によって吊り下げ固定された先端部が目地部側端部まで位置する天井材と、この天井材の先端部と他方の建物の壁面との間を覆うせり上げ天井カバーと、このせり上げ天井カバーの前記他方の建物側の上面にヒンジ部材を介して取付けられたほぼ水平方向に位置するスライドレールと、このスライドレールにローラーを介して水平方向に移動する少なくとも２個以上の吊杆と、この少なくとも２個以上の吊杆を所定位置に係止するとともに、上方へのスライド移動を可能に支持する前記他方の建物の壁面に取付けられた支持金具と、前記せり上げ天井カバーの他方の建物側の上面に後端部が固定され、該せり上げ天井カバーの上面より所定間隔離間された状態で、前記一方の建物の天井躯体と天井材との間に位置させる少なくとも２個以上のせり上げ天井カバー支持アームと、この少なくとも２個以上のせり上げ天井カバー支持アームをローラーを介して前記一方の建物の目地部側部位の天井躯体にスライド移動可能に支持する吊りガイドと、前記少なくとも２個以上のせり上げ天井カバー支持アームに形成された目地部が狭くなると前記せり上げ天井カバーを前記天井材に接触することなくせり上げるガイド部とで天井用目地装置を構成している。
【発明の効果】
【０００９】
以上の説明から明らかなように、本発明にあっては次に列挙する効果が得られる。
（１）請求項１によって、せり上げ天井カバーを天井材に衝突させることなく、回動あるいは上方へスライド移動させることができる。
（２）前記（１）によって、目地部が大きく狭くなるような揺れ動き時には目地部に位置するせり上げ天井カバーを水平状態に位置でき、見苦しくなるのを効率よく阻止することができる。
（３）前記（１）により、せり上げ天井カバーの一方をヒンジ部材、スライドレール、ローラーを介して水平方向に移動する少なくとも２個以上の吊杆、この少なくとも２個以上の吊杆を所定位置に係止するとともに、上方へのスライド移動を可能に支持する支持金具で支持するとともに、せり上げ天井カバーの他方へ少なくとも２個以上のせり上げ天井カバー支持アーム、ローラーを介した吊りガイドで支持しているので、左右の建物が揺れ動いても、噛み合ったりすることなくスムーズにせり上げ天井カバーを移動させることができる。
【図面の簡単な説明】
【００１０】
【図１】本発明を実施するための第１の形態の底面図。
【図２】図１の２−２線に沿う断面図。
【図３】図２の３−３線に沿う断面図。
【図４】図２の４−４線に沿う断面図。
【図５】本発明を実施するための第１の形態のヒンジ部材とスライドレールの説明図。
【図６】本発明を実施するための第１の形態の支持金具で吊杆を係止している状態の説明図。
【図７】本発明を実施するための第１の形態のせり上げ天井カバー支持アームの説明図。
【図８】本発明を実施するための第１の形態の吊りガイドの説明図。
【図９】本発明を実施するための第１の形態の目地部が狭くなるような揺れ動き時の初めの動作説明図。
【図１０】本発明を実施するための第１の形態の目地部が狭くなった時の動作説明図。
【図１１】本発明を実施するための第１の形態の目地部が広くなった時の動作説明図。
【図１２】本発明を実施するための第１の形態の異なる前後方向に揺れ動いた時の動作説明図。
【図１３】本発明を実施するための第２の形態の底面図。
【図１４】図１３の１４−１４線に沿う断面図。
【図１５】図１３の１５−１５線に沿う断面図。
【図１６】本発明を実施するための第３の形態の底面図。
【図１７】図１６の１７−１７線に沿う断面図。
【図１８】本発明を実施するための第4の形態の底面図。
【図１９】図１８の１９−１９線に沿う断面図、
【図２０】本発明を実施するための第４の形態のせり上げ天井カバー支持アームの説明図。
【発明を実施するための形態】
【００１１】
以下、図面に示す本発明を実施するための形態により、本発明を詳細に説明する。
【００１２】
図１ないし図１２に示す本発明を実施するための第１の形態において、１は本発明の天井用目地装置で、この天井用目地装置１は一方の建物２の天井躯体３に複数個の吊り下げ具４によって吊り下げ固定された天井下地５、この天井下地５に固定された先端部が目地部側端部まで位置し、かつ先端部の上面が傾斜面６の天井仕上板７とからなる天井材８と、この天井材８の天井仕上板７の先端部と他方の建物９の壁面９ａとの間の目地部１９を覆う、該天井仕上板７側が傾斜面１０のせり上げ天井カバー１１と、このせり上げ天井カバー１１の前記他方の建物９側の上面にヒンジ部材１２、１２を介して取付けられたほぼ水平方向に位置するスライドレール１３と、このスライドレール１３にローラー１４、１４を介して水平方向に移動する、上部にストッパー片１５を有する少なくとも２個以上の吊杆１６、１６と、この少なくとも２個以上の吊杆１６、１６を所定位置（せり上げ天井カバー１１の下面１１ａと、前記天井材８の天井仕上板７の下面７ａとがほぼ同一面となる位置）に係止するとともに、上方へのスライド移動を可能に支持する、前記他方の建物９の壁面９ａに複数本のビス１７で固定された支持金具１８と、前記せり上げ天井カバー１１の他方の建物９側の上面に後端部が固定され、該せり上げ天井カバー１１の上面より所定間隔離間された状態で、前記一方の建物２の天井躯体３と天井材８との間に位置させる、前記目地部１９の幅寸法の約２倍の長さの少なくとも２個以上のせり上げ天井カバー支持アーム２０、２０と、この少なくとも２個以上のせり上げ天井カバー支持アーム２０、２０をローラー２１、２１を介して、前記一方の建物２の目地部１９側部位の天井躯体３にそれぞれスライド移動可能に支持する吊りガイド２２、２２と、前記少なくとも２個以上のせり上げ天井カバー支持アーム２０、２０の目地部に位置する部位に形成された目地部１９が狭くなると前記せり上げ天井カバー１１を前記天井材８に接触することなくせり上げるガイド部２３、２３とで構成されている。
【００１３】
上記構成の天井用目地装置１は通常時には図１および図２に示すように、せり上げ天井カバー１１の下面１１ａと、天井材８の天井仕上板７の下面７ａとはほぼ同一面となり、せり上げ天井カバー１１の先端部の傾斜面１０と天井仕上板７の先端部の傾斜面６とが当接することなく、隙間を介して重なり合っている。
【００１４】
地震で目地部１９が狭くなるように揺れ動くと、初めは図９に示すように少なくとも２個以上のせり上げ天井カバー支持アーム２０、２０がローラー２１、２１を介して吊りガイド２２、２２上をスライド移動するが、この時、ガイド部２３、２３によって上方へ移動され、天井材８の天井仕上板７の先端部と衝突することがない。
【００１５】
なお、この場合、せり上げ天井カバー１１の後端部はヒンジ部材１２、１２によってスムーズに回動され、その揺れ動きをスムーズに行なわせる。
【００１６】
さらに目地部１９が狭くなり、図１０に示すようになると吊りガイド２２、２２のローラー２１、２１がせり上げ天井カバー１１およびせり上げ天井カバー支持アーム２０、２０、ガイド部２３、２３の重量中心位置より他方の建物９側に位置すると、該重量バランスによって他方の建物９側ヒンジ部材１２、１２、スライドレール１３、ローラー１４、１４、２個以上の吊杆１６、１６は上昇し、せり上げ天井カバー１１がほぼ水平状態に位置される。
地震の揺れ動きが停止する場合、前述の逆の動作で元の状態へ自動的に戻る。
【００１７】
地震により目地部１９が広くなるように揺れ動くと、図１１に示すようにせり上げ天井カバー１１と天井材８の天井仕上板７とが離れるように移動する。
この時、せり上げ天井カバー１１の一方を支持しているせり上げ天井カバー支持アーム２０、２０は吊りガイド２２、２２のローラー２１、２１上をスライド移動して、その揺れ動きを吸収する。
【００１８】
さらに、地震で左右の建物２、９が異なる前後方向に揺れ動いた場合、吊杆１６、１６の下端部のローラー１４、１４がスライドレール１３に沿ってスライド移動して、その揺れ動きを吸収する。    
【００１９】
[発明を実施するための異なる形態]
次に、図１３ないし図２０に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２０】
図１３ないし図１５に示す本発明を実施するための第２の形態において、前記本発明を実施するための第１の形態と主に異なる点は、ガイド部２３を一体形成した少なくとも２個以上のせり上げ天井カバー支持アーム２０Ａ、２０Ａを用いた点で、このようなせり上げ天井カバー支持アーム２０Ａ、２０Ａを用いて構成した天井用目地装置１Ａにしても、前記本発明を実施するための第１の形態と同様な作用効果が得られる。
【００２１】
図１６および図１７に示す本発明を実施するための第３の形態において、前記本発明を実施するための第２の形態と主に異なる点は、上部が他方の建物９側に位置するように傾斜面状態で吊りガイド２２Ａを一方の建物２の天井躯体３に取付けた点で、このように構成した天井用目地装置１Ｂにしても、前記本発明を実施するための第２の形態と同様な作用効果が得られる。
【００２２】
なお、前記本発明を実施するための各形態では少なくとも２個以上で、２個の吊杆１６、１６、せり上げ天井カバー支持アーム２０、２０、２０Ａ、２０Ａおよび吊りガイド２２、２２、２２Ａ、２２Ａを用いるものについて説明したが、本発明はこれに限らず、３個、４個、５個等の複数個であればよい。
【００２３】
図１８ないし図２０に示す本発明を実施するための第４の形態において、前記本発明を実施するための第２の形態と主に異なる点は、目地部が狭くなって、吊りガイド２２、２２のローラー２１、２１がガイド部２３、２３に位置すると先端部２０ａ、２０ａが天井躯体３に当接するのを防止できるように枢支ピン２４，２４で下方に回動できるようにした、せり上げ天井カバー支持アーム２０Ｂ、２０Ｂを用いた点で、このようなせり上げ天井カバー支持アーム２０Ｂ、２０Ｂを用いて構成した天井用目地装置１Ｃにしても、前記本発明を実施するための第２の形態と同様な作用効果が得られるとともに、天井躯体３と天井材８との間隔が狭いところにも設置ができる。
【００２４】
なお、せり上げ天井カバー支持アーム２０Ｂ、２０Ｂの先端部２０ａ、２０ａは上方への回動ができないようにストッパー２５を設けたり、先端部２０ａ、２０ａが天井材８に接触しない位置までの回動を可能にするストッパー２６を設けるとよい。
【産業上の利用可能性】
【００２５】
本発明は目地部を介して設けられた左右の建物の天井部位を覆う天井用目地装置を製造する産業で利用される。
【符号の説明】
【００２６】
１、１Ａ、１Ｂ、１Ｃ：天井用目地装置、
２：一方の建物、      ３：天井躯体、
４：吊り下げ具、      ５：天井下地、  
６：傾斜面、          ７：天井仕上板、
８：天井材、          ９：他方の建物、
９ａ：壁面、        １０：傾斜面、
１１：せり上げ天井カバー、  １２：ヒンジ部材、
１３：スライドレール、      １４：ローラー、
１５：ストッパー片、        １６：吊杆、
１７：ビス、                １８：支持金具、
１９：目地部、
２０、２０Ａ：せり上げ天井カバー支持アーム、
２１：ローラー、    ２２、２２Ａ：吊りガイド、
２３、２３Ａ：ガイド部。
【図１】
2011084981.tif 000003
【図２】
2011084981.tif 000004
【図３】
2011084981.tif 000005
【図４】
2011084981.tif 000006
【図５】
2011084981.tif 000007
【図６】
2011084981.tif 000008
【図７】
2011084981.tif 000009
【図８】
2011084981.tif 000010
【図９】
2011084981.tif 000011
【図１０】
2011084981.tif 000012
【図１１】
2011084981.tif 000013
【図１２】
2011084981.tif 000014
【図１３】
2011084981.tif 000015
【図１４】
2011084981.tif 000016
【図１５】
2011084981.tif 000017
【図１６】
2011084981.tif 000018
【図１７】
2011084981.tif 000019
【図１８】
2011084981.tif 000020
【図１９】
2011084981.tif 000021
【図２０】
2011084981.tif 000022